(57)【要約】      （修正有）【課題】表皮層を簡単に変更することができる仏壇用扉を提供する。【解決手段】板状体１５と該板状体の少なくとも一方の面に着脱可能に被覆された表皮層２７とからなる仏壇用扉であって、前記板状体が、少なくとも部分的に磁石２５に吸着される磁性体から構成され、前記表皮層が、磁石と該磁石を担持する担体２６とからなる。【選択図】図３
0003153784.tif 000002
【実用新案登録請求の範囲】
【請求項１】
板状体と該板状体の少なくとも一方の面に着脱可能に被覆された表皮層とからなる仏壇用扉であって、
前記板状体が、少なくとも部分的に磁石に吸着される磁性体から構成され、
前記表皮層が、磁石と該磁石を担持する担体とからなることを特徴とする仏壇用扉。
【請求項２】
板状体と該板状体の少なくとも一方の面に着脱可能に被覆された表皮層とからなる仏壇用扉であって、
前記板状体が、少なくとも部分的に磁石から構成され、
前記表皮層が、磁石に吸着される磁性体と該磁性体を担持する担体とからなることを特徴とする仏壇用扉。
【請求項３】
板状体と該板状体の少なくとも一方の面に着脱可能に被覆された表皮層とからなる仏壇用扉であって、
前記板状体が、少なくとも部分的に磁石から構成され、
前記表皮層が、前記磁石に吸着される別の磁石と該別の磁石を担持する担体とからなることを特徴とする仏壇用扉。
【考案の詳細な説明】
【技術分野】
【０００１】
本考案は仏壇用扉に関する。さらに詳細には、室内空間に載置される仏壇に取り付けられた扉に関する。
【背景技術】
【０００２】
仏壇には扉が設けられているものが多く、扉には意匠や装飾が予め施されている。扉は仏壇の前面の多くを占めるものであるため、扉に形成された意匠などによって仏壇が載置される室内空間の印象、雰囲気が大きく変化する。
【考案の概要】
【考案が解決しようとする課題】
【０００３】
しかし、扉に施された意匠や装飾は使用者が簡単に変更することができないため、室内の模様替えをした際に仏壇がその部屋に調和しないという問題があった。特に、生活習慣が多様化した現代においては、引越しやリフォームなどにより居住空間が変わる機会が多く、仏壇とそれが載置される部屋との不調和の問題はより顕著である。にもかかわらず、それを解決するためには新たな仏壇を購入するか、業者に依頼して仏壇の意匠や装飾を変更するしかなく、購入者自身がその好みに応じて簡単に仏壇用扉の意匠などを変更できないという問題があった。
【０００４】
また上記従来の仏壇は、同じ形状および構造を有しながらも扉の意匠や色調の異なるものについては別途製造しなければならなかったため、在庫点数が増えてしまうという問題があった。さらに、現代人の趣向は多様化しており、それは仏壇についても例外ではない。多種多彩な意匠や色調を容易に取り入れることができる仏壇の創出が望まれていた。
【０００５】
本考案は、上記従来の問題に鑑みてなされたものであり、仏壇の前面に形成された扉の表皮層を着脱可能に構成し、表皮層を簡単に変更することができる仏壇用扉を提供することを目的とする。
【課題を解決するための手段】
【０００６】
本考案の仏壇用扉は、板状体と該板状体の少なくとも一方の面に着脱可能に被覆された表皮層とからなる仏壇用扉であって、前記板状体が、少なくとも部分的に磁石に吸着される磁性体から構成され、前記表皮層が、磁石と該磁石を担持する担体とからなることを特徴としている。
【０００７】
本考案の仏壇用扉は、板状体と該板状体の少なくとも一方の面に着脱可能に被覆された表皮層とからなる仏壇用扉であって、前記板状体が、少なくとも部分的に磁石から構成され、前記表皮層が、磁石に吸着される磁性体と該磁性体を担持する担体とからなることを特徴としている。
【０００８】
本考案の仏壇用扉は、板状体と該板状体の少なくとも一方の面に着脱可能に被覆された表皮層とからなる仏壇用扉であって、前記板状体が、少なくとも部分的に磁石から構成され、前記表皮層が、前記磁石に吸着される別の磁石と該別の磁石を担持する担体とからなることを特徴としている。
【考案の効果】
【０００９】
本考案の仏壇用扉によれば、扉に被覆された表皮層は着脱可能なので、購入者自身が仏壇を載置する部屋や好みに応じて表皮層を取り換え、またはその配置を入れ替えることにより異なる意匠や色調を有する扉にすることができる。また、扉に異なる意匠や色調を提供することができるため、意匠や色調ごとに仏壇を製造する必要がなく、製造販売業者は在庫点数を減らすことができ、在庫管理が容易となり、コストも低減できる。さらに、表皮層が破損してもその交換が容易であるため、修復の際のコスト負担を軽減できる。
【図面の簡単な説明】
【００１０】
【図１】本考案の第１の実施の形態による仏壇の概略斜視図である。
【図２】本考案の第１の実施の形態による扉の上部の拡大斜視図である。
【図３】図２のIII−IIIラインにおける端面図である。
【図４】本考案の第２の実施の形態による扉の上部の拡大斜視図である。
【図５】本考案の第３の実施の形態による扉の上部の拡大斜視図である。
【考案を実施するための形態】
【００１１】
本考案の実施の形態にかかわる仏壇用扉について、添付図面に沿って以下詳細に説明する。
【００１２】
図１は本考案の第１の実施の形態による仏壇の概略斜視図であり、図２は本考案の第１の実施の形態による扉の上部の拡大斜視図であり、図３は図２のIII−IIIラインにおける端面図である。
【００１３】
図１に示されるように、仏壇１は箱形状であり、その前面のほぼ全体が矩形状に開口している。その開口端の両側には、それぞれ矩形状の扉１０ａ、１０ｂがそれぞれヒンジ２ａ、２ｂ、（一部図示せず）を介して観音開き式に開閉するように取り付けられている。本実施の形態では扉１０ａ、１０ｂは左右対称の形状を有するため、以下単に扉１０として説明し、他について説明は繰り返さない。なお、扉１０ａ、１０ｂは観音開き式扉に限定されるものではなく、折れ戸や引き戸などであっても良く、形状も特に限定されるものではない。
【００１４】
図２に示されるように、扉１０は、扉本体となる鉄製の板状体１５とその外面に着脱可能に被覆された表皮層１６とから構成されている。板状体１５を構成する鉄は磁石に吸着される磁性体であり、そのような磁性体として、ほかにマルテンサイト系ステンレス鋼をあげることができる。また、板状体１５はメッキや塗装が施されたものであっても良い。表皮層１６は、板状体１５と同じ幅を有する長方形状の多数の表皮部材２０ａ〜２０ｄからなり、各表皮部材２０ａ〜２０ｄは互いに分離可能であり、板状体１５の外面に平行して隣接するように配置されている。
【００１５】
図３に示されるように、表皮層１６は、磁石２５と、磁石２５を担持する木製の板状体からなる担体２６と、担体２６に塗布された表面層２７とが順に積層された構造である。表皮層１６の厚さは１〜２０ｍｍの範囲が好ましいが、これに限定されるものではない。
【００１６】
磁石２５はフェライト磁石、ネオジム磁石などの永久磁石を用いることができ、接着剤、ゴムなどに磁石の粉末を所定量含有させたものを担体２６に塗布し、これを磁石２５としても良い。磁石２５は板状体１５の外面に対向し、鉄製の板状体１５に着脱可能に固定される。
【００１７】
担体２６は本実施の形態では木製の板であったが、これに限定されるものではなく、金属製または合成樹脂製であっても良く、タイルや布、磁器、紙からなるものであっても良く、形状も板に限定されるものではない。
【００１８】
表面層２７は扉１０の外面に現れ、仏壇１に意匠や色調を提供する。表面層２７は塗布によって形成され、着色されたものであっても良く、透明なコーティング層であっても良い。また、使用される着色剤、塗料の種類も特に限定されない。なお、本実施の形態では表面層２７は担体２６の一方の面の全面に被覆されているが、これに限定されるものではなく、表面層２７はなくても良く、表面層２７は部分的に塗布されていても良い。また、別途、プラスチックフィルム、布、紙などを担体２６に貼り付けて表面層２７としても良い。
【００１９】
このように、表皮層１６を構成する各表皮部材２０ａ〜２０ｄは同一形状であり、板状体１５から着脱可能であるため、表皮部材２０ａ〜２０ｄを取り換え、またはその配置を入れ替えることによって扉１０の外表面の意匠や色調を簡単に変えることができる。なお、本実施の形態では扉を磁性体とし、表皮層に磁石を設ける構成としたが、逆に扉を磁石とし、表皮層に鉄などの磁性体を設ける構成としても良く、扉と表皮層の両方に磁石を設ける構成としても良い。また、本実施の形態では表皮層は板状体の一方の面にのみ被覆されていたが、これに限定されるものではなく、表皮層は板状体の両面に被覆されても良い。
【００２０】
図４は本考案の第２の実施の形態による扉の上部の拡大斜視図であって、図２に対応した図である。第２の実施の形態による仏壇用扉の構成は先に説明した第１の実施の形態によるものと基本的に同じなので、相違点を中心に説明する。
【００２１】
図４に示されるように、第２の実施の形態による扉１０は、板状体１５の全部が鉄製ではなく、鉄製で矩形状の小板状体３０と、小板状体３０の四方の側面を覆って扉本体を構成する木製で矩形状の中空板３１とから構成されている。つまり板状体１５は部分的に、磁石に吸着される磁性体の小板状体３０から構成されている。これによって、板状体１５内部の小板状体３０は表皮層１６の磁石（図示せず）と互いに引き合い、表皮層１６は板状体１５に対して着脱可能になる。
【００２２】
また板状体１５は、表皮層１６が被覆される面が木製なので、当該面を容易に加工することができる。たとえば、当該面に穴または溝を設け、表皮層１６の磁石２５を該穴または溝に対応する形状にして両者を係合すれば、表皮層１６の正確な位置決めができるので、板状体１５の当該面上にて表皮層１６を整然と配置することができる。
【００２３】
図５は本考案の第３の実施の形態による扉の上部の拡大斜視図であって、図２に対応した図である。第３の実施の形態による仏壇用扉の構成は先に説明した第１の実施の形態によるものと基本的に同じなので、相違点を中心に説明する。
【００２４】
図５に示されるように、第３の実施の形態による扉１０は板状体１５の外面上に、板状体１５の外縁に沿うように形成された矩形状の木製の外枠３５が取り付けられている。そして、板状体１５の外面上かつ外枠３５の内側には表皮層１６が被覆されている。表皮層１６は、正方形状の表皮部材２０ａ〜２０ｆが横方向に２つ、縦方向に多数配置されることによって構成されている。
【００２５】
このように、外枠３５があることによって、その内側に設けられる各表皮部材２０ａ〜２０ｆの位置決めが正確になされ、各表皮部材２０ａ〜２０ｆを整然と配置させることができる。なお、外枠３５の厚さは特に限定されず、表皮層１６と同程度であっても良く、異なっていても良い。表皮部材２０ａ〜２０ｆの取外しがしやすいように外枠３５の一部にくぼみを設けておくことが好ましい。
【００２６】
なお、上記実施の形態では、板状体は矩形状であったが、これに限定されるものではなく、たとえば全体または部分的に曲面を有する板状体としても良い。
【００２７】
また、上記第２の実施の形態では、板状体は部分的に磁石に吸着される磁性体から構成されていたが、これに限定されるものではない。たとえば木製の板状体と鉄製の板状体とを重ね合わせることによって部分的に磁性体からなる板状体としても良い。
【００２８】
さらに、上記第１および第２の実施の形態では表皮層は板状体の外面の全面を覆っていたが、これに限定されるものではなく、表皮層は第３の実施の形態のように外枠の内側を覆うものであっても良く、各表皮部材がある程度離れて配置されても良い。
【００２９】
さらに、上記実施の形態では各表皮部材の形状は矩形状であったが、これに限定されるものではなく、三角形状などであっても良く、互いに入れ替えて配置することができるのであれば、曲線を取り入れた形状であっても良い。また、各表皮部材はすべてが同一形状でなくても良く、表皮層は大きさや形状の異なる表皮部材を組み合わせて構成されたものであっても良い。
【００３０】
さらに、上記実施の形態では、担体は層として磁石を担持していたが、これに限定されるものではなく、たとえば、担体に凹部を形成し、該凹部に磁石を嵌入することによって磁石を担持するものであっても良い。
【符号の説明】
【００３１】
１  仏壇
２ａ、２ｂ  ヒンジ
１０、１０ａ、１０ｂ  扉
１５  板状体
１６  表皮層
２０ａ、２０ｂ、２０ｃ、２０ｄ、２０ｅ、２０ｆ  表皮部材
２５  磁石
２６  担体
２７  表面層
３０  小板状体
３１  中空板
３５  外枠
【図１】
0003153784.tif 000003
【図２】
0003153784.tif 000004
【図３】
0003153784.tif 000005
【図４】
0003153784.tif 000006
【図５】
0003153784.tif 000007